(57)【要約】      （修正有）【課題】製作が容易で軽量、持ち運びや保管も容易で、しかも使用時労力を要せず手や肩の負担が小さい貝取りジョレンを提供する。【解決手段】貝取りジョレンの籠部は、薄手の金属製板を打ち抜き加工し、板状の網とした籠とする。貝取りジョレンの爪４は板状の材料を切り抜き加工した一体物とする。貝取りジョレンの籠の内部中間に中間網板２０を設け、貝より大きな石や異物などは入らないようにする。中間網板２０はセット位置３０ａとオフセット位置３０ｃへ可動できる構造とする。貝取りジョレンに取り付ける柄は、接続パイプ３に挿入し、固定用ボルト３ａを締め付けることで固定され、また固定用ボルト３ａを緩めることで容易に分解できる構造とする。接続パイプ３の下面に、溶接で取り付けたアイプレート８にチェーンを接続し、その末端を腰に掛け牽引することで、手と肩にかかる応力が軽減される。【選択図】図１
2013094163.tif 000002
【特許請求の範囲】
【請求項１】
籠の網の部分、籠胴部５、籠左側面部６、籠右側面部７は、薄手の金属製板に打ち抜き加工を施し、長方形の穴１０を複数設けた板状の網を特徴とする貝取りジョレン。
【請求項２】
一枚の金属製板を切欠き加工し、爪４を複数擁した形状を特徴とする、貝取りジョレン。
【請求項３】
二重の仕分けができるよう、籠の内部中間に中間網板２０を設けたことを特徴とした貝取りジョレン。
【請求項４】
中間網板２０はセット位置３０ａからオフセット位置３０ｃへの可動が容易にできる構造であり、図６のように下部爪２０ａ、スライドガイド２０ｂ、上部ストッパー２０ｃで構成された容易に可動できることを特徴とする中間網板２０。
【請求項５】
ジョレン枠１の上部に、柄２の取付、取り外しが固定ボルト３ａを締めたり、緩めたりすることにより容易にできる、接続パイプ３を設けたことを特徴とした貝取りジョレン。
【請求項６】
接続パイプ３の下部に、チェーン９や綱などを接続できるように、アイプレート８を設けたことを特徴とした貝取りジョレン。
【発明の詳細な説明】
【技術分野】
【０００１】この発明は、海や川などに生息するアサリやシジミなどの貝類を取る道具に関する。
【背景技術】
【０００２】従来、貝取りジョレンは海底や川底に生息する貝類を捕獲する道具であり、その形状は先端に先の尖った爪と網目の籠で構成された物で、その貝取りジョレンを用いて作業をすると、短時間で多くの貝類を収穫することができる。その使用方法は先端の爪の部分で底面を掘り起し、貝類と土砂を一緒に籠内に集積し、ジョレンを振ることにより網目から砂、泥、小石などが振るい落とされ、貝類とそれと同等大きさ以上の石や異物のみが残り貝類と石や異物の見分けがつけ易く容易に捕獲することができるものである。
【発明の概要】
【発明が解決しようとする課題】
【０００３】従来の技術ではジョレンの籠状の部分は棒状の材料を溶接した構造となり、製作に手間がかかるうえに、重量も重くなる。またこの構造以外では、籠枠と網を組み合わせた物などがあるが砂、泥、小石などの振るい落としに関し、小石の大きさと網目の大きさに左右され振るい落としの量に限度がある。そこで、この発明は構造を簡素化し、製作原価の低減と軽量化及び貝取り作業の作業性向上を目指した貝取りジョレンを提供することを課題とする。【０００４】従来の貝取りジョレンの先端に設けられた先の尖った爪は、母材に複数の爪を溶接した構造であり、製作に手間がかかる。そこで、この発明は構造を簡素化し、製作原価が低減される貝取りジョレンを提供することを課題とする。【０００５】従来の貝取りジョレンの籠の部分は網が一重構造となっており、網目から振るい落とされる、砂、泥、小石以外の貝類とそれ同等の大きさ以上の石が籠の中に残る。そこで、この発明は捕獲目的である貝類と貝類より大きな石は交わらないように分別できる貝取りジョレンを提供することを課題とする。【０００６】従来の貝取りジョレンは、ジョレン本体と手で操作する柄の固定がボルトとナットで締め付けられており取付け、取り外しに手間がかかる。また一体にした形状であると持ち運びや保管に不便である。そこで、この発明はジョレン本体と柄を簡単に分離できる構造を提供することを課題とする。【０００７】従来の貝取りジョレンの使い方は、ジョレン本体を底面に置き、柄の上端を肩に掛けて、その中間点に手をかけて引くのであるが、底面を掘り返すだけの力の抵抗力は大きく、その応力を手と肩で受けるため手と肩にかかる労力が大きい。そこでこの発明は人間の体でより楽に牽引できる方法を提供することを課題とする。
【課題を解決するための手段】
【０００８】以上の課題を解決するために、第一発明は、ジョレンの籠状の籠胴部５と籠左側面部６、籠右側面部７は、薄手の金属製板を打ち抜き加工し、長方形の穴１０を複数設けた板状の網とした構造を特徴とする籠とする。またジョレン枠１と籠胴部５、籠左側面部６、籠右側面部７の接合部を溶接にて結合し軽量かつ堅牢な物とした貝取りジョレンである。【０００９】以上の課題を解決するために、第二発明は、ジョレンの爪４は金属製の板を切り抜き加工したことを特徴とする。爪自体の部分は溶接加工しない貝取りジョレンである。【００１０】以上の課題を解決するために、第三発明は、ジョレンの籠部分の内部中間に中間網板２０を設け、その中間網板２０は大粒の貝が通り抜ける大きさの網目とし、それ以上の大きさの石や異物などは入らないようにする。中間網板２０は海底や川底を掘り起こす作業時にセット位置３０ａとし、貝を収穫する時にはオフセット位置３０ｃとする。中間網板２０のセット、オフセットは中間網板２０をスライドと反転させることで容易に操作ができる構造となっている。貝掘り作業をしてジョレンを上げると、中間網板２０の手前に入っている石や異物は大きな物だけなので容易に捨てることができ、捨てた後は中間網板２０をセット位置３０ａからオフセット位置３０ｃにスライド反転させ貝の取出しが容易にできる状態とし、籠内部に集まった貝と石や異物を仕分けて、貝を収穫する。ジョレンの籠の内部中間に中間網板２０を設けたことを特徴とする貝取りジョレンである。【００１１】以上の課題を解決するために、第四発明は、ジョレンに取り付ける柄２は、柄２をパイプ状の物とし、その柄２が挿入できる太さのパイプで加工された接続パイプ３をジョレン枠１の上部に溶接で取り付けた構造とし、柄２を接続パイプ３に挿入し、固定用ボルト３ａを締め付けることで固定され、また固定用ボルト３ａを緩めれば容易に分解できる。接続パイプ３を特徴とする貝取りジョレンである。【００１２】以上の課題を解決するために、第五発明は、接続パイプ３の下面に、溶接で取り付けたアイプレート８にチェーン９を接続し、その末端を腰に掛け牽引することで、手と肩にかかる応力が軽減される。アイプレート８を設けたことを特徴とする貝取りジョレンである。
【発明の効果】
【００１３】第一発明によれば、ジョレンの籠部分の、籠胴部５、籠左側面部６、籠右側面部７は薄手の金属製板に長方形の穴１０を複数、打ち抜き加工した板状の網であり、製作する手間が軽減される。またジョレン枠１と籠胴部５、籠左側面部６、籠右側面部７は部品単位となっているため、溶接にて結合することも容易であり、材料も薄手の金属製板であることから軽量化も実現される。また貝取り作業においても貝取りジョレンが軽量化された事により扱いやすく、また人体にかかる労力が軽減され作業性が向上する。【００１４】第二発明によれば、爪４を製作するにあたり金属製板を切り抜き加工した構造となっており製作する手間が軽減される。【００１５】第三発明によれば、ジョレンの籠内部の中間に中間網板２０を設けることで、大粒の貝以上の大きさの石や異物が籠の内部に入らないため、それらの不要物を容易に除去できる。また中間網板２０は可動式となっており、スライドと反転をさせることで容易にセット位置３０ａからオフセット位置３０ｃに可動でき、貝と不要物の仕分けも容易であり貝取り作業の時間短縮と労働力の軽減となる。【００１６】第四発明によれば、ジョレン本体と柄２の分離が容易にできるため、持ち運びに便利であり、保管にも場所をとらない。【００１７】第五発明によれば、人体の腰にて貝取りジョレンを牽引することができ、貝取り作業の労力が軽減され、作業性も向上する。
【図面の簡単な説明】
【００１８】
【図１】貝取りジョレンの側面断面図で中間網板２０のセット位置３０ａ、中間位置３０ｂ、オフセット位置３０ｃの各方向への動作を示す。
【図２】貝取りジョレン全体の側面図でアイプレート８にチェーン９を取付けた図
【図３】貝取りジョレンの平面図で左半分は断面
【図４】貝取りジョレンの側面図
【図５】貝取りジョレンの正面図
【図６】中間網板２０の正面図
【図７】接続パイプ３の拡大側面図
【図８】接続パイプ３の拡大平面図
【図９】貝取りジョレン全体の側面図
【図１０】貝取りジョレン全体の正面図
【図１１】従来の技術の貝取りジョレン図
【発明を実施するための形態】
【００１９】この発明の一実施形態を、図１に示す。ジョレン枠１、接続パイプ３、爪４、籠胴部５、籠左側面部６、籠右側面部７、アイプレート８、中間網板２０は金属製である。接続パイプ３はジョレン枠１の上部に溶接で結合されたものであり、柄２を固定するための固定ボルト３ａが設けられている。爪４は複数の爪を擁した一体形状のものである。ジョレンの籠の部分、籠胴部５、籠左側面部６、籠右側面部７は複数の長方形の穴１０が設けられた板状の網でジョレン枠１と共に溶接にて結合されている。アイプレート８は接続パイプの下面に溶接で結合されたものであり、チェーンや綱などを接続できるように穴が設けられている。中間網板２０は網の形状であり、可動できるようになっている。中間網板２０のセット位置３０ａから、中間網板２０のセット位置から中間位置へのスライド方向矢印３１ａのようにスライドさせて中間網板２０の中間位置３０ｂまで移動、そこで中間網板２０の中間位置からオフセット位置への反転方向矢印３１ｂのように反転させて、それから中間網板２０の中間位置からオフセット位置へのスライド方向矢印３１ｃの方向にスライドさせることによりオフセット位置３０ｃへ移動させる。その逆の動作で中間網板２０のセット位置３０ａまで戻す。
【符号の説明】
【００２０】１ジョレン枠
２柄
３接続パイプ
３ａ固定用ボルト
４爪
５籠胴部
６籠左側面部
７籠右側面部
８アイプレート
９チェーン
１０長方形の穴
２０中間網板
２０ａ下部爪
２０ｂスライドガイド
２０ｃ上部ストッパー
２０ｄ上部爪
２０ｅストッパー固定ボルト
３０ａ中間網板２０のセット位置
３０ｂ中間網板２０の中間位置
３０ｃ中間網板２０のオフセット位置
３１ａ中間網板２０のセット位置から中間位置へのスライド方向矢印
３１ｂ中間網板２０の中間位置からオフセット位置への反転方向矢印
３１ｃ中間網板２０の中間位置からオフセット位置へのスライド方向矢印
【図１】
2013094163.tif 000003
【図２】
2013094163.tif 000004
【図３】
2013094163.tif 000005
【図４】
2013094163.tif 000006
【図５】
2013094163.tif 000007
【図６】
2013094163.tif 000008
【図７】
2013094163.tif 000009
【図８】
2013094163.tif 000010
【図９】
2013094163.tif 000011
【図１０】
2013094163.tif 000012
【図１１】
2013094163.tif 000013